(57)【要約】  【課題】列車等の交通手段における個々の乗客に対してその個々の乗客が要望する映像コンテンツの視聴を可能とすることにより、乗客の利便性を提供するものである。  【解決手段】少なくとも１つの映像または音声コンテンツの識別情報を有する交通手段の搭乗券と、各客席に設置され、搭乗券の識別情報を読み取る搭乗券情報読み取り部７と、各客席に設置され、映像または音声コンテンツを再生する映像表示装置８と、一の席に設置されている搭乗券情報読み取り部７で読み取られた識別情報に基づいて、識別情報で特定される映像または音声コンテンツを、一の席に設置されている映像表示装置８に再生させる認証装置７とを備えた。【選択図】図１
2006140848.tif 000002
【特許請求の範囲】
【請求項１】
複数の客席を有する交通手段の各客席で映像または音声コンテンツを視聴させる映像配信システムにおいて、
少なくとも１つの映像または音声コンテンツの識別情報を有する前記交通手段の搭乗券と、
前記各客席に設置され、前記搭乗券の前記識別情報を読み取る搭乗券情報読み取り部と、
前記各客席に設置され、映像または音声コンテンツを再生する映像表示装置と、
一の席に設置されている前記搭乗券情報読み取り部で読み取られた前記識別情報に基づいて、前記識別情報で特定される映像または音声コンテンツを、前記一の席に設置されている前記映像表示装置に再生させる認証装置とを備えた、映像配信システム。
【請求項２】
さらに、一以上の映像または音声コンテンツを蓄積する映像記憶配信装置と、
前記映像記憶配信装置、前記認証装置、各客席に設置された前記搭乗券情報読み取り部および前記映像表示装置を接続するネットワークとを備え、
前記認証装置は、前記識別情報で特定される映像または音声コンテンツを、前記映像記憶配信装置から、前記一の席に設置されている前記映像表示装置に受信させ、再生させる、請求項１に記載の映像配信システム。
【請求項３】
前記特定される映像または音声コンテンツを視聴するための料金は、前記交通手段の搭乗券の購入額に含まれている、請求項１に記載の映像配信システム。
【請求項４】
前記交通手段の搭乗券は、指定された客席の情報を有しており、
前記搭乗券情報読み取り部は、前記搭乗券の有する前記指定された客席の情報も読み取り、
前記認証装置は、前記搭乗券から読み取った前記指定された客席の情報が、前記搭乗券を読み取らせた前記搭乗券情報読み取り部が設置されている席の情報であるかを判定し、その判定結果が正しければ、前記搭乗券の有する識別情報に基づいて、前記識別情報で特定される映像または音声コンテンツを、前記指定された客席に設置されている前記映像表示装置に再生させる、請求項１に記載の映像配信システム。
【請求項５】
前記認証装置は、前記判定結果が誤っていれば、前記搭乗券を読み取らせた前記搭乗券情報読み取り部が設置されている席の前記映像表示装置に警告を通知させる、請求項４に記載の映像配信システム。
【請求項６】
前記認証装置は、前記各客席に設置されている、請求項１に記載の映像配信システム。
【請求項７】
前記交通手段は、出発地点から少なくとも１つの途中停地点で停止して終着地点に移動するものであり、少なくとも前記出発地点と前記途中停地点のそれぞれに、前記映像記憶配信装置に映像または音声コンテンツのデータを伝送するための映像蓄積配信装置が設置されており、
前記各地点に設置されている映像蓄積配信装置には、前記特定される映像または音声コンテンツのうちの、その地点から次に停止する地点までの前記交通手段の移動時間に対応するコンテンツの部分が蓄積されており、
前記映像記憶配信装置は、前記交通手段が前記出発地点を出発する際には、前記出発地点に設置されている映像蓄積配信装置から伝送される前記コンテンツの部分を蓄積し、前記交通手段がいずれかの途中停地点に到着する際には、前記映像記憶配信装置に蓄積されているコンテンツの部分を、前記いずれかの途中停地点に設置されている映像蓄積配信装置から伝送されるコンテンツの部分と入れ替える、請求項２に記載の映像配信システム。
【請求項８】
前記映像表示装置のそれぞれは、前記特定される映像または音声コンテンツの表示を休止させる休止手段と、その表示の休止を解除する解除手段とを有しており、
さらに、前記特定される映像または音声コンテンツが休止していた休止時間を確認する休止時間確認手段と、
前記休止時間に基づいて、次に停止する地点に設置されている映像蓄積配信装置に、要求するコンテンツの部分の情報を送信する送信手段とを備え、
前記次に停止する地点に停止する前に前記休止時間が生じていた場合には、前記送信手段は、前記映像記憶配信装置に蓄積されているコンテンツの部分のうち前記休止時間に対応する終了部分を、前記次に停止する地点に設置されている映像蓄積配信装置に蓄積されているコンテンツの部分の先頭に加えた範囲を、前記要求するコンテンツの部分の情報として、前記次に停止する地点に設置されている映像蓄積配信装置に送信し、前記次に停止する地点に設置されている映像蓄積配信装置は、蓄積されていたコンテンツの部分を前記要求するコンテンツの部分に入れ替える、請求項７に記載の映像配信システム。
【請求項９】
前記交通手段は、出発地点から少なくとも１つの途中停地点で停止して終着地点に移動するものであり、少なくとも前記出発地点と前記途中停地点のそれぞれに、前記映像記憶配信装置に映像または音声コンテンツのデータを伝送するための映像蓄積配信装置が設置されており、
前記映像表示装置のそれぞれは、前記特定される映像または音声コンテンツの表示を休止させる休止手段と、その表示の休止を解除する解除手段とを有しており、
さらに、前記特定される映像または音声コンテンツが休止していた休止時間を確認する休止時間確認手段と、
前記休止時間に基づいて、次に停止する地点に設置されている映像蓄積配信装置に、要求するコンテンツの部分の情報を送信する送信手段とを備え、
前記出発地に設置されている映像蓄積配信装置には、前記特定される映像または音声コンテンツのうちの、前記交通手段の前記出発地から次の途中停地までの移動時間に対応するコンテンツの部分が蓄積されており、
前記それぞれの途中停地に設置されている映像蓄積配信装置には、前記特定される映像または音声コンテンツの全ての部分が蓄積されており、
前記映像記憶配信装置は、前記交通手段が前記出発地点を出発する際には、前記出発地点に設置されている映像蓄積配信装置から伝送される前記コンテンツの部分を蓄積し、前記交通手段がいずれかの途中停地点に到着する際には、前記映像記憶配信装置に蓄積されているコンテンツの部分を、前記いずれかの途中停地点に設置されている映像蓄積配信装置から伝送されてくる、要求するコンテンツの部分と入れ替え、
前記次に停止する地点に停止する前に前記休止時間が生じていた場合には、前記送信手段は、前記映像記憶配信装置に蓄積されているコンテンツの部分のうち前記休止時間に対応する終了部分を、前記次に停止する地点に設置されている映像蓄積配信装置に蓄積されているコンテンツの部分の先頭に加えた範囲を、前記要求するコンテンツの部分の情報として、前記次に停止する地点に設置されている映像蓄積配信装置に送信し、前記次に停止する地点に設置されている映像蓄積配信装置は、前記要求するコンテンツの部分を前記映像記憶配信装置に伝送する、請求項２に記載の映像配信システム。
【請求項１０】
複数の客席を有する交通手段の各客席で映像または音声コンテンツを視聴させる映像配信装置において、
少なくとも１つの映像または音声コンテンツの識別情報を有する前記交通手段の搭乗券の、前記識別情報を読み取る搭乗券情報読み取り部と、
前記各客席に設置され、映像または音声コンテンツを再生する映像表示装置と、
一の席に設置されている前記搭乗券情報読み取り部で読み取られた前記識別情報に基づいて、前記識別情報で特定される映像または音声コンテンツを、前記一の席に設置されている前記映像表示装置に再生させる認証装置とを備えた、映像配信装置。
【請求項１１】
複数の客席を有する交通手段の各客席で映像または音声コンテンツを視聴させる映像配信システムの制御方法において、
少なくとも１つの映像または音声コンテンツの識別情報および指定された客席の情報を有する前記交通手段の搭乗券の、前記識別情報および前記指定された客席の情報を、各客席に設置されている搭乗券情報読み取り部で読み取る搭乗券読み取りステップと、
前記搭乗券から読み取った前記指定された客席の情報が、その搭乗券を読み取らせた前記搭乗券情報読み取り部が設置されている席の情報であるかを判定する認証ステップと、
前記認証ステップで判定した結果が正しい場合には、前記識別情報で特定される映像または音声コンテンツを、前記搭乗券情報読み取り部が設置されている席の映像表示装置に表示させるコンテンツ表示ステップとを備えた、映像配信システムの制御方法。
【請求項１２】
請求項１１に記載の映像配信システムの制御方法の、少なくとも１つの映像または音声コンテンツの識別情報および指定された客席の情報を有する前記交通手段の搭乗券の前記識別情報および前記指定された客席の情報を、各客席に設置されている搭乗券情報読み取り部で読み取る前記搭乗券読み取りステップ、前記搭乗券から読み取った前記指定された客席の情報が、その搭乗券を読み取らせた前記搭乗券情報読み取り部が設置されている席の情報であるかを判定する前記認証ステップ、前記認証ステップで判定した結果が正しい場合には、前記識別情報で特定される映像または音声コンテンツを、前記搭乗券情報読み取り部が設置されている席の映像表示装置に表示させる前記コンテンツ表示ステップ、をコンピュータに実行させるためのプログラム。
【請求項１３】
請求項１２に記載のプログラムを記録した記録媒体であって、コンピュータで利用可能な記録媒体。
【発明の詳細な説明】
【技術分野】
【０００１】
本発明は、多数の客席を有する交通手段において、映像または音声をネットワークを利用して個々の乗客に配信する、映像配信システム、映像配信装置、および映像配信システムの制御方法に関するものである。例えば、多数の客席を有する列車等において、個々の乗客が視聴を希望する映像または音声をそれぞれ配信する、映像配信システム、映像配信装置、および映像配信システムの制御方法に関するものである。
【背景技術】
【０００２】
従来、列車内の広範囲にわたって情報提供を行う列車内情報提供システムが、例えば特許文献１に開示されている。
【０００３】
図１５に、特許文献１に示される列車内情報提供システムの全体構成図を示す。
【０００４】
この列車内情報提供システム７０では、列車８０が走行する路線沿いに沿線ＬＡＮ７２（光ＬＡＮ）が敷設されている。沿線ＬＡＮ７２には、センタ装置７４と沿線データサーバ７６とが接続されている。センタ装置７４は、列車８０で提供する全ての情報を生成することができるようになっており、例えば、文字、画像、音楽等をディジタル化したデータ等を生成する。センタ装置７４で生成される文字等のデータは、沿線ＬＡＮ７２を介して沿線データサーバ７６に配信される。
【０００５】
沿線ＬＡＮ７２には情報伝送装置７８が接続されており、列車８０が情報伝送装置７８の通信エリア内に進入すると、沿線データサーバ７６により保持されている文字等のデータが、情報伝送装置７８から列車８０に対して所定の手順で無線送信される。
【０００６】
一方、列車８０には、情報伝送装置８２と、列車データサーバ８４と、列車内ＬＡＮ８６と、車両データ中継装置（無線通信装置）８８とが搭載されている。沿線に設置されている情報伝送装置７８から情報伝送装置８２で受信された文字等のデータは、列車データサーバ８４に送られる。
【０００７】
列車データサーバ８４は、列車内ＬＡＮ８６により複数の車両データ中継装置８８との間で相互に通信可能となっており、沿線から受信する文字等のデータを配信データとして列車内列車内ＬＡＮ８６に自律的に送出して、複数の車両データ中継装置８８に対して配信データ（常時配信データ）を同報配信する他、一部のデータ（オンデマンド配信データ）については車両データ中継装置８８からのデータ特配要求に応じて列車内ＬＡＮ８６に送出する。
【０００８】
そして、車両データ中継装置８８は、乗客が所持する携帯情報端末９０からのデータ配信要求を受けると、その要求に対応するデータを列車内ＬＡＮ８６を伝送している常時配信データの中から抽出し、それを車両内に向けて無線配信する。また、携帯情報端末９０から受けたデータ配信要求に対応する配信データが、常時配信データに含まれていないと判断される場合には、その配信データを列車内ＬＡＮ８６に送出するように、列車データサーバ８４に対してデータ特配要求を行う。列車データサーバ８４は、この特配要求に応じて、オンデマンド配信データの中から要求されている配信データを選び出し、列車内ＬＡＮ８６に送出する。そして、車両データ中継装置８８は、その配信データを車両内に無線配信し、携帯情報端末９０が、その配信データを受信する。
【０００９】
このようにして、携帯情報端末９０を所持する各乗客は、要求した情報を取得することができる。
【特許文献１】特開２００１−６３５８０号公報
【発明の開示】
【発明が解決しようとする課題】
【００１０】
しかしながら、従来の列車内情報提供システムなどでは、乗客は、予め鉄道会社が準備している情報しか取得することができなかった。
【００１１】
特許文献１に記載の列車内情報提供システムにおいても、各乗客が携帯情報端末９０を用いて希望する配信データを要求して取得することができるが、その希望する配信データは、予め列車データサーバ８４に格納されている情報の中から選択できるだけである。したがって、各乗客が希望する情報が列車データサーバ８４に格納されていない場合には、各乗客がその希望する情報を取得することはできなかった。
【００１２】
本発明は、上述した従来の課題を解決するもので、個々の乗客が視聴を希望する映像または音声コンテンツを視聴できる、映像配信システム、映像配信装置、および映像配信システムの制御方法を提供することを目的とする。
【課題を解決するための手段】
【００１３】
上述した課題を解決するために、第１の本発明は、
複数の客席を有する交通手段の各客席で映像または音声コンテンツを視聴させる映像配信システムにおいて、
少なくとも１つの映像または音声コンテンツの識別情報を有する前記交通手段の搭乗券と、
前記各客席に設置され、前記搭乗券の前記識別情報を読み取る搭乗券情報読み取り部と、
前記各客席に設置され、映像または音声コンテンツを再生する映像表示装置と、
一の席に設置されている前記搭乗券情報読み取り部で読み取られた前記識別情報に基づいて、前記識別情報で特定される映像または音声コンテンツを、前記一の席に設置されている前記映像表示装置に再生させる認証装置とを備えた、映像配信システムである。
【００１４】
第２の本発明は、
さらに、一以上の映像または音声コンテンツを蓄積する映像記憶配信装置と、
前記映像記憶配信装置、前記認証装置、各客席に設置された前記搭乗券情報読み取り部および前記映像表示装置を接続するネットワークとを備え、
前記認証装置は、前記識別情報で特定される映像または音声コンテンツを、前記映像記憶配信装置から、前記一の席に設置されている前記映像表示装置に受信させ、再生させる、第１の本発明の映像配信システムである。
【００１５】
第３の本発明は、
前記特定される映像または音声コンテンツを視聴するための料金は、前記交通手段の搭乗券の購入額に含まれている、第１の本発明の映像配信システムである。
【００１６】
第４の本発明は、
前記交通手段の搭乗券は、指定された客席の情報を有しており、
前記搭乗券情報読み取り部は、前記搭乗券の有する前記指定された客席の情報も読み取り、
前記認証装置は、前記搭乗券から読み取った前記指定された客席の情報が、前記搭乗券を読み取らせた前記搭乗券情報読み取り部が設置されている席の情報であるかを判定し、その判定結果が正しければ、前記搭乗券の有する識別情報に基づいて、前記識別情報で特定される映像または音声コンテンツを、前記指定された客席に設置されている前記映像表示装置に再生させる、第１の本発明の映像配信システムである。
【００１７】
第５の本発明は、
前記認証装置は、前記判定結果が誤っていれば、前記搭乗券を読み取らせた前記搭乗券情報読み取り部が設置されている席の前記映像表示装置に警告を通知させる、第４の本発明の映像配信システムである。
【００１８】
第６の本発明は、
前記認証装置は、前記各客席に設置されている、第１の本発明の映像配信システムである。
【００１９】
第７の本発明は、
前記交通手段は、出発地点から少なくとも１つの途中停地点で停止して終着地点に移動するものであり、少なくとも前記出発地点と前記途中停地点のそれぞれに、前記映像記憶配信装置に映像または音声コンテンツのデータを伝送するための映像蓄積配信装置が設置されており、
前記各地点に設置されている映像蓄積配信装置には、前記特定される映像または音声コンテンツのうちの、その地点から次に停止する地点までの前記交通手段の移動時間に対応するコンテンツの部分が蓄積されており、
前記映像記憶配信装置は、前記交通手段が前記出発地点を出発する際には、前記出発地点に設置されている映像蓄積配信装置から伝送される前記コンテンツの部分を蓄積し、前記交通手段がいずれかの途中停地点に到着する際には、前記映像記憶配信装置に蓄積されているコンテンツの部分を、前記いずれかの途中停地点に設置されている映像蓄積配信装置から伝送されるコンテンツの部分と入れ替える、第２の本発明の映像配信システムである。
【００２０】
第８の本発明は、
前記映像表示装置のそれぞれは、前記特定される映像または音声コンテンツの表示を休止させる休止手段と、その表示の休止を解除する解除手段とを有しており、
さらに、前記特定される映像または音声コンテンツが休止していた休止時間を確認する休止時間確認手段と、
前記休止時間に基づいて、次に停止する地点に設置されている映像蓄積配信装置に、要求するコンテンツの部分の情報を送信する送信手段とを備え、
前記次に停止する地点に停止する前に前記休止時間が生じていた場合には、前記送信手段は、前記映像記憶配信装置に蓄積されているコンテンツの部分のうち前記休止時間に対応する終了部分を、前記次に停止する地点に設置されている映像蓄積配信装置に蓄積されているコンテンツの部分の先頭に加えた範囲を、前記要求するコンテンツの部分の情報として、前記次に停止する地点に設置されている映像蓄積配信装置に送信し、前記次に停止する地点に設置されている映像蓄積配信装置は、蓄積されていたコンテンツの部分を前記要求するコンテンツの部分に入れ替える、第７の本発明の映像配信システムである。
【００２１】
第９の本発明は、
前記交通手段は、出発地点から少なくとも１つの途中停地点で停止して終着地点に移動するものであり、少なくとも前記出発地点と前記途中停地点のそれぞれに、前記映像記憶配信装置に映像または音声コンテンツのデータを伝送するための映像蓄積配信装置が設置されており、
前記映像表示装置のそれぞれは、前記特定される映像または音声コンテンツの表示を休止させる休止手段と、その表示の休止を解除する解除手段とを有しており、
さらに、前記特定される映像または音声コンテンツが休止していた休止時間を確認する休止時間確認手段と、
前記休止時間に基づいて、次に停止する地点に設置されている映像蓄積配信装置に、要求するコンテンツの部分の情報を送信する送信手段とを備え、
前記出発地に設置されている映像蓄積配信装置には、前記特定される映像または音声コンテンツのうちの、前記交通手段の前記出発地から次の途中停地までの移動時間に対応するコンテンツの部分が蓄積されており、
前記それぞれの途中停地に設置されている映像蓄積配信装置には、前記特定される映像または音声コンテンツの全ての部分が蓄積されており、
前記映像記憶配信装置は、前記交通手段が前記出発地点を出発する際には、前記出発地点に設置されている映像蓄積配信装置から伝送される前記コンテンツの部分を蓄積し、前記交通手段がいずれかの途中停地点に到着する際には、前記映像記憶配信装置に蓄積されているコンテンツの部分を、前記いずれかの途中停地点に設置されている映像蓄積配信装置から伝送されてくる、要求するコンテンツの部分と入れ替え、
前記次に停止する地点に停止する前に前記休止時間が生じていた場合には、前記送信手段は、前記映像記憶配信装置に蓄積されているコンテンツの部分のうち前記休止時間に対応する終了部分を、前記次に停止する地点に設置されている映像蓄積配信装置に蓄積されているコンテンツの部分の先頭に加えた範囲を、前記要求するコンテンツの部分の情報として、前記次に停止する地点に設置されている映像蓄積配信装置に送信し、前記次に停止する地点に設置されている映像蓄積配信装置は、前記要求するコンテンツの部分を前記映像記憶配信装置に伝送する、第２の本発明の映像配信システムである。
【００２２】
第１０の本発明は、
複数の客席を有する交通手段の各客席で映像または音声コンテンツを視聴させる映像配信装置において、
少なくとも１つの映像または音声コンテンツの識別情報を有する前記交通手段の搭乗券の、前記識別情報を読み取る搭乗券情報読み取り部と、
前記各客席に設置され、映像または音声コンテンツを再生する映像表示装置と、
一の席に設置されている前記搭乗券情報読み取り部で読み取られた前記識別情報に基づいて、前記識別情報で特定される映像または音声コンテンツを、前記一の席に設置されている前記映像表示装置に再生させる認証装置とを備えた、映像配信装置である。
【００２３】
第１１の本発明は、
複数の客席を有する交通手段の各客席で映像または音声コンテンツを視聴させる映像配信システムの制御方法において、
少なくとも１つの映像または音声コンテンツの識別情報および指定された客席の情報を有する前記交通手段の搭乗券の、前記識別情報および前記指定された客席の情報を、各客席に設置されている搭乗券情報読み取り部で読み取る搭乗券読み取りステップと、
前記搭乗券から読み取った前記指定された客席の情報が、その搭乗券を読み取らせた前記搭乗券情報読み取り部が設置されている席の情報であるかを判定する認証ステップと、
前記認証ステップで判定した結果が正しい場合には、前記識別情報で特定される映像または音声コンテンツを、前記搭乗券情報読み取り部が設置されている席の映像表示装置に表示させるコンテンツ表示ステップとを備えた、映像配信システムの制御方法である。
【００２４】
第１２の本発明は、
第１１の本発明の映像配信システムの制御方法の、少なくとも１つの映像または音声コンテンツの識別情報および指定された客席の情報を有する前記交通手段の搭乗券の前記識別情報および前記指定された客席の情報を、各客席に設置されている搭乗券情報読み取り部で読み取る前記搭乗券読み取りステップ、前記搭乗券から読み取った前記指定された客席の情報が、その搭乗券を読み取らせた前記搭乗券情報読み取り部が設置されている席の情報であるかを判定する前記認証ステップ、前記認証ステップで判定した結果が正しい場合には、前記識別情報で特定される映像または音声コンテンツを、前記搭乗券情報読み取り部が設置されている席の映像表示装置に表示させる前記コンテンツ表示ステップ、をコンピュータに実行させるためのプログラムである。
【００２５】
第１３の本発明は、
第１２の本発明のプログラムを記録した記録媒体であって、コンピュータで利用可能な記録媒体である。
【発明の効果】
【００２６】
本発明により、個々の乗客が視聴を希望する映像または音声コンテンツを視聴できる、映像配信システム、映像配信装置、および映像配信システムの制御方法を提供できる。
【発明を実施するための最良の形態】
【００２７】
以下、本発明の実施の形態について、交通手段として列車を例にした図面を参照しながら説明する。
【００２８】
（実施の形態１）
図１に、本発明の実施の形態１に係る列車内映像配信システムの構成図を示す。
【００２９】
本実施の形態１の列車内映像配信システムは、列車３の複数の客車に、同軸ケーブル４が配線されている。この同軸ケーブル４の配線は、各客車に車内放送を行うために兼用してもよく、また、本発明の目的を達成するために新たに配線を施してもよい。
【００３０】
各乗客が本実施の形態１の列車内映像配信システムの同軸伝送システムを利用できるように、列車３の各客席には、各客席ごとに対応する同軸ネットワークアダプタ６が設置されており、これらの同軸ネットワークアダプタ６は列車３内に配線された同軸ケーブル４に接続されている。なお、本実施の形態１の列車内映像配信システムでは、分配器５を経て行う同軸ネットワークアダプタ６同士の通信には同軸伝送システムを使用している。
【００３１】
また、列車３内の任意の場所には、映像コンテンツを蓄積し、かつこれを配信する映像記憶配信装置９が設置されている（図１に示す例では、３個設置されている）。これらの映像記憶配信装置９は、例えば、ハードディスク、光記録媒体、磁気テープ、半導体メモリ等の大容量映像コンテンツ蓄積部を備えている。そして、これらの映像記憶配信装置９は、同軸ネットワークアダプタ６を介して分配器５が接続された同軸ケーブル４に接続されている。
【００３２】
また、列車３の各客席にそれぞれ設置された認証装置７と映像表示装置８が、各客席に対応して設置されている同軸ネットワークアダプタ６に接続されている。それぞれの同軸ネットワークアダプタ６に対応する映像記憶配信装置９、認証装置７、映像表示装置８の接続は、それぞれイーサーネットケーブル１２で接続されている。
【００３３】
なお、映像記憶配信装置９、認証装置７、映像表示装置８を、それぞれ同軸ネットワークアダプタ６と接続する方法は、無線ＬＡＮ等の無線方式であってもよい。また、列車乗務員１０の座席にも、同軸ケーブル４に接続された同軸ネットワークアダプタ６が設置されており、この同軸ネットワークアダプタ６にイーサーネットケーブル１２を通じて乗務員用映像表示装置１１が接続されている。
【００３４】
そして、認証装置７及び映像表示装置８、乗務員用映像表示装置１１が接続されているそれぞれの同軸ネットワークアダプタ６は、分配器５により同軸ケーブル４に分岐接続された構成になっている。
【００３５】
上記のような接続構成により通信を行う同軸伝送システムを利用することにより、映像記憶配信装置９は、どの車両に設置されても列車３内にある同軸ネットワークアダプタ６と通信を行うことができるとともに、映像コンテンツの共有や、分割等が可能となる。
【００３６】
次に、本実施の形態１の列車内映像配信システムの動作について説明する。なお、この動作は、図１の破線で囲まれた部分で通信が行われるものとして説明する。また、他の場所においても同様の通信が行われるが、これについては省略する。
【００３７】
初めに、乗客１は鉄道会社の発券所に行き、目的地までの搭乗券を購入する。その搭乗券の購入と同時に、乗客１は列車内で見たい映像コンテンツを鉄道会社にリクエストする。
【００３８】
図２は、搭乗券の概略正面図を示している。鉄道会社は、映像コンテンツのリクエストを受けると、記憶素子（ＩＣ）タグ１３付きの搭乗券２の中の記憶素子（ＩＣチップ）１４に、そのリクエストを受けた映像コンテンツの識別子、指定客席情報、乗車日時等の情報を入力し、これを乗客１に発券する。鉄道会社は、この搭乗券２の発券時に、列車３の乗車料金に加えてリクエストを受けた映像コンテンツの視聴料金を加算して乗客１に請求し、乗客１はそれを支払う。これによって、鉄道会社は個々の乗客の要求を満たすことができ、且つ映像コンテンツの視聴に係る著作権料も加算した金額を乗客１に請求することができる。
【００３９】
なお、リクエストを受けた映像コンテンツの識別子が、本発明の、映像または音声コンテンツの識別情報の一例である。また、指定客席情報が、本発明の、指定された客席の情報の一例である。
【００４０】
次に、少なくとも乗客１が乗車する列車の発車時までに、鉄道会社は、その列車の映像記憶配信装置９へその乗客１が要求した映像コンテンツを蓄積しておき、かつこの乗客１が乗車する列車の指定客席に設置された認証装置７（図３参照）には、乗客１に発券した搭乗券２の記憶素子１４に記憶された情報と同じ情報を記憶させておく。
【００４１】
ここで、映像記憶配信装置９に映像コンテンツを蓄積させる方法、および、乗客１に発券した搭乗券２の記憶素子１４に記憶された情報と同じ情報を認証装置７に記憶させる方法としては、例えば、鉄道会社内にあるコンテンツを駅サーバーに記憶させ、乗客１の要望に添ったコンテンツを列車用のＨＤＤにコピーし、それを列車内に設置されている映像配信装置９に装着することで実現できる。なお、この方法に限らず、無線を用いるなどの他のどのような方法であっても、これらの情報を映像記憶配信装置９および認証装置７に記憶させられればよい。
【００４２】
図３は、各客席に設置されている認証装置７の概略構成図を示している。認証装置７は、アンテナ１６、リーダ１８及び認証部１７から構成されており、乗客１に発券した搭乗券２の記憶素子１４に記憶された情報と同じ情報が認証部１７に記憶される。なお、リーダ１８が、本発明の搭乗券情報読み取り部の一例である。
【００４３】
次に、乗客１が映像コンテンツを視聴する際の、本実施の形態１の列車映像配信システムの動作について図１〜図４を用いて説明する。図４は、乗客１が映像コンテンツを視聴する際の、本実施の形態１の列車映像配信システムの動作フローを示している。
【００４４】
乗客１は、記憶素子タグ１３付きの搭乗券２に記憶されている指定された客席へ座る。そして、乗客１は、その指定された客席に設置してある認証装置７のアンテナ１６の上に搭乗券２を置き（Ｓ１０１）、スタートスイッチ（図示せず）を操作する。すると、アンテナ１６は、搭乗券２の記憶素子タグ１３のアンテナ１５からの電波で搭乗券２の記憶素子１４に記憶されている情報を受け、これを認証装置７のリーダ１８が取り込み（Ｓ１０２）、その情報を認証部１７に供給する。そして、認証部１７は、認証部１７に予め記憶されている情報、すなわち映像コンテンツの識別子、指定客席情報、乗車日時等の情報と、リーダ１８から受け取った情報とを照合する（Ｓ１０３）。この照合動作において、両者の情報が一致すれば、認証装置７は、イーサーネットケーブル１２を介してその客席に設置されている同軸ネットワークアダプタ６へ、乗客１がリクエストした映像コンテンツの識別子に基づいてその映像配信要求信号を送信する（Ｓ１０４）。なお、Ｓ１０３のステップにおいて、両者の情報が一致する場合が、本発明の、判定結果が正しい場合の一例である。
【００４５】
認証装置７から送信された映像配信要求信号は、客席に設置された同軸ネットワークアダプタ６を介し、同軸伝送システムを利用して、同軸ケーブル４、分配器５を通り、映像記憶配信装置９に接続されている同軸ネットワークアダプタ６へ到達する。すると、この同軸ネットワークアダプタ６は、イーサーネットケーブル１２を介して、映像配信要求信号を映像記憶配信装置９へ送信する。
【００４６】
この映像配信要求信号を受信した映像記憶配信装置９は、映像配信要求信号内の映像コンテンツの識別子を読み取り、乗客１が要求した映像コンテンツを同軸ネットワークアダプタ６に送信する（Ｓ１０５）。そして、映像コンテンツを受信した同軸ネットワークアダプタ６は、同軸伝送システムを利用して、同軸ケーブル４、分配器５を介して乗客１の席に設置されている同軸ネットワークアダプタ６に映像コンテンツを送信する。
【００４７】
これにより、乗客１の席に設置されている同軸ネットワークアダプタ６に送信されてきた映像コンテンツは、その同軸ネットワークアダプタ６に接続された映像表示装置８に表示される（Ｓ１０６）。したがって、乗客１は、搭乗券２の購入時にリクエストし視聴料金を支払った映像コンテンツを列車内で視聴することができる。
【００４８】
このようにして、列車３の各客席の乗客に対して、リクエストを受けた映像コンテンツの視聴に応えることができる。
【００４９】
なお、認証部１７に予め記憶されている情報とリーダ１８が読み取った搭乗券２からの情報の照合（Ｓ１０３）において、これらが一致しない場合は、その旨の情報を、乗客の席に設置されている映像表示装置８と乗務員室に設置されている映像表示装置１１に対し送信し、表示させる（Ｓ１０７、Ｓ１０８）。これによって、何らかの原因（機器故障やチップ破損など）で照合が正しく行われない場合や、乗客が購入した搭乗券２に記憶されている指定客席をうっかり間違って別の客席に乗客１が座ろうとしたような場合や、また、不正が行われた場合等に、乗務員１０は即座に対応することができる。
【００５０】
なお、Ｓ１０３のステップにおいて、両者の情報が一致しない場合が、本発明の、判定結果が誤っている場合の一例である。また、Ｓ１０７およびＳ１０８のステップにおいて、映像表示装置８および映像表示装置１１への両者の情報が照合しない旨の表示が、本発明の、映像表示装置への警告の一例である。
【００５１】
本実施の形態１の列車内映像配信システムにおいて、列車３の他の乗客が同様に映像コンテンツの視聴をリクエストした場合にも、映像記憶配信装置９とその乗客席の認証装置７及び映像表示装置８等の動作は上記と同様であり、映像記憶配信装置９には、その列車３の乗客からリクエストがあった多数の映像コンテンツが列車３の発車までに蓄積される。
【００５２】
（実施の形態２）
次に、本発明の実施の形態２の列車内映像配信システムについて、図２、図５〜図８を用いて説明する。これらの図において、図１、図３の実施の形態１のシステム構成と同一部分には同一符号を附し、その役割や動作は同一であるため、説明は省略し、異なる部分を中心に説明する。
【００５３】
図５に、本発明の実施の形態２に係る列車内映像配信システムの構成図を示す。
【００５４】
図５において、乗客１の各客席には、搭乗券２の記憶素子１４に記録された情報を読み取るリーダ装置２０と映像表示装置８が設置されている。
【００５５】
図６は、各客席に設置されているリーダ装置２０の概略構成図を示している。リーダ装置２０は、アンテナ１６とリーダ１８を備え、このアンテナ１６から搭乗券２の記録情報を電波で取り込み、これをリーダ１８に供給する。
【００５６】
図７は、本実施の形態２の映像記憶配信装置１９の概略構成図を示している。
【００５７】
本実施の形態２では、映像記憶配信装置１９が列車３の任意の場所に設置されている。この映像記憶配信装置１９には、図７に示すように、映像コンテンツ蓄積部２２と認証部２１が備えられている。そして、乗客１の乗車以前に、映像コンテンツ蓄積部２２には乗客１から視聴リクエストを受けた映像コンテンツが蓄積され、また認証部２１には、乗客１が購入した搭乗券２の記憶素子１４に記憶された情報と同じ情報、すなわち、視聴リクエストを受けた映像コンテンツの識別子、指定客席情報、乗車日時等の情報が記録される。なお、本実施の形態２においては、認証部２１が、本発明の認証装置の一例である。
【００５８】
以下、本実施の形態２の列車内映像配信システムの動作について、図２、図５〜図８を参照して説明する。図８は、乗客１が映像コンテンツを視聴する際の、本実施の形態２の列車映像配信システムの動作フローを示している。
【００５９】
実施の形態１と同様にして、鉄道会社から購入した搭乗券２を持って乗客１が列車３の指定された客席に着席し、その搭乗券２をリーダ装置２０のアンテナ１６上に置き（Ｓ２０１）、スタートスイッチ（図示せず）を操作すると、リーダ装置２０のアンテナ１６を通して搭乗券２の記憶素子１４に記憶されている情報が、アンテナ１５からの電波で取り込まれて、その情報がリーダ１８で読み取られる（Ｓ２０２）。
【００６０】
リーダ１８で読み取られた認証情報は、その客席に設置された同軸ネットワークアダプタ６へ送信される。そして、同軸伝送システムを利用して、同軸ケーブル４、分配器５を通り、同軸ネットワークアダプタ６に接続された映像記憶配信装置１９に送信される（Ｓ２０３）。
【００６１】
その認証情報を映像記憶配信装置１９が受信すると、その映像記憶配信装置１９の認証部２１は、その認証部２１に予め記録されている認証情報と、受信した認証情報を照合する（Ｓ２０４）。そして、両者の情報が一致すれば、これに基づいて認証部２１は、客席に設置されている同軸ネットワークアダプタ６へ乗客１がリクエストした映像コンテンツを送信する（Ｓ２０５）。これにより、乗客１は、その映像コンテンツを、実施の形態１と同様に、指定客席の映像表示装置８により視聴することができる（Ｓ２０６）。
【００６２】
なお、本実施の形態２においても、認証部２１に予め記憶されている情報とリーダ１８が読み取った搭乗券２からの情報の照合（Ｓ２０４）において、これらが一致しない場合は、その旨の情報を、乗客の席に設置されている映像表示装置８と乗務員室に設置されている映像表示装置１１に対して送信し、表示させる（Ｓ２０７、Ｓ２０８）。これによって、何らかの原因（機器故障やチップ破損など）で照合が正しく行われない場合や、乗客１が購入した搭乗券に記憶されている指定客席をうっかり間違って別の客席に乗客１が座ろうとしたような場合や、また、不正が行われた場合等に乗務員１０が即座に対応することができる。
【００６３】
上記の動作等は、他の乗客席におけるリーダ装置２０及び映像表示装置８等についても同様であり、映像記憶配信装置１９には、その列車３の乗客からリクエストがあった多数の映像コンテンツと各乗客の認証情報が列車３の発車までに蓄積される。
本実施の形態２においては、列車３の多数の乗客が映像コンテンツの視聴をリクエストした場合、その搭乗券２の記憶素子１４に記憶されている認証情報と同じ情報が映像記憶配信装置１９の認証部２１に記録されるようにしたため、この認証部２１に多数客の認証情報を一括蓄積し、そしてここで認証作業を行うことで、個々の乗客席に認証装置を設置する必要がなくなる。したがって、システム全体の構成が簡単になり、システムコストの低減が可能となる。
【００６４】
また、実施の形態１および本実施の形態２において、乗客が搭乗券の購入時に視聴をリクエストする映像コンテンツは、１つに限られるものではなく、複数の映像コンテンツをリクエストしてもよい。そして、このリクエストする少なくとも１つの映像コンテンツの視聴時間は、列車の乗車時間内であることが基本となる。また、複数の映像コンテンツをリクエストした場合の認証方式は、最初の認証時に複数の映像コンテンツを一括して認証する方式であっても、あるいは映像コンテンツ毎に認証する方式であってもよい。
【００６５】
（実施の形態３）
次に、本発明の実施の形態３の列車内映像配信システムの動作について図１、図２、図５、図９、図１０を参照して説明する。
【００６６】
本実施の形態３の列車内映像配信システムは、実施の形態１あるいは２において、乗客１が、映像表示装置８により映像コンテンツの視聴中に、その視聴を一時休止してもその後継続して映像コンテンツを視聴することができるようにしたものである。
【００６７】
本実施の形態３の列車内映像配信システムの構成は、図１または図５に示す、実施の形態１または２と同じ構成である。本実施の形態３においては、実施の形態１あるいは２に示したシステムと同一部分については、これらの援用によりその説明を省略し、異なる部分を中心に説明する。
【００６８】
本実施の形態３では、図１または図５において、映像記憶配信装置９または１９は、映像コンテンツの送信中に送信停止指令を受けるとその送信を停止するとともに、停止位置を記憶した状態で送信待機状態となる。そして、送信開始指令を受けると、その停止位置から送信を再開するように構成されている。
【００６９】
また、乗客１の各客席には、例えば、認証装置７あるいはリーダ装置２０に、映像記憶配信装置９または１９に対して、送信停止指令および送信開始指令を送出するスイッチが設置されている。なお、これらのスイッチは、プッシュスイッチ等により兼用方式であってもよく、また、スタートスイッチと兼用、あるいは液晶表示装置のパネルタッチスイッチであってもよい。なお、送信停止指令を送出するスイッチおよび送信開始指令を送出するスイッチが、それぞれ本発明の、休止手段および解除手段の一例である。
【００７０】
図９は、乗客１が購入した搭乗券２の出発駅と終着駅との間で、視聴を一時休止した映像コンテンツの視聴時間の、乗車時間との関係を示した模式図である。
【００７１】
乗客１が列車に搭乗し、映像コンテンツを視聴する動作は、実施の形態１または２と同様であり、映像コンテンツの視聴可能時間Ｔは、列車３の出発駅から終着駅までの所要時間である。したがって、映像コンテンツの視聴時間Ｔ１は、Ｔ１＜Ｔが基本となり、好ましい。
【００７２】
そして、Ｔ−Ｔ１＝ｔが、途中で視聴の休止が可能な視聴休止時間となり、鉄道会社は例えば１５分間の途中休止時間ｔを見こんで、出発駅でＴ１＋ｔ＝Ｔとなるように映像コンテンツを準備する。
【００７３】
図１０は、乗客１が映像コンテンツを視聴する際の、本実施の形態３の列車映像配信システムの動作フローを示している。
【００７４】
乗客１が出発駅で列車３に乗車し、搭乗券２の記憶素子１４に記録されている認証情報の認証作業を行い、スタートスイッチを操作して図１０に示す視聴スタート（Ｓ３０１）をすると、映像記憶配信装置９または１９は、乗客１がリクエスト済の映像コンテンツを送信し（Ｓ３０２）、乗客１は指定客席の映像表示装置８でその映像コンテンツを視聴することができる。
【００７５】
映像記憶配信装置９または１９が映像コンテンツを送信中には、その映像記憶配信装置９または１９は、常時送信停止指令の受信待機状態にある（Ｓ３０３）。その映像記憶配信装置９または１９は、この送信停止指令を受信しなければ映像コンテンツの終了検知を継続し（Ｓ３０４）、そして映像コンテンツの視聴時間Ｔ１が到来すれば、映像コンテンツの送信を終了し（Ｓ３０５）、乗客１の視聴は列車が終着駅に到着する前に終了する。
【００７６】
ここで、乗客１が映像コンテンツを視聴中に、スイッチ操作（休止手段）により図９のＡ位置で停止した場合、映像記憶配信装置９または１９は、その停止位置Ａを記憶（Ｓ３０６）した状態で映像コンテンツの送信を停止し（Ｓ３０７）、送信待機状態（Ｓ３０８）となる。この映像記憶配信装置９または１９の送信待機状態（Ｓ３０８）は、映像記憶配信装置９または１９が送信開始指令を受信するまで継続される。
【００７７】
そして、映像コンテンツの視聴を再開するために、乗客１が視聴休止時間ｔｍ後に送信開始のスイッチ（解除手段）を操作すると、映像記憶配信装置９または１９は、送信開始指令を受信（Ｓ３０９）し、これにより停止位置Ａから映像コンテンツの送信を再開する（Ｓ３１０）。なお、ｔｍは、１回目の休止時間を示している。
【００７８】
なお、上記では１回の視聴休止について説明したが、２回あるいはそれ以上の視聴休止を行った場合も１回目と同様の動作が行われ、そして、その視聴を休止した合計時間をｔｎとした時、上記視聴休止時間ｔ≧ｔｎ、すなわち、視聴可能時間Ｔ≧Ｔ１＋ｔｎを満たせば乗客１はリクエストした映像コンテンツを一部見損なうことがなくなる。
【００７９】
なお、上記において、乗客１が映像コンテンツの視聴を休止後、継続視聴を開始した時、映像記憶配信装置９または１９が残りの休止可能時間、すなわち、上記の最初の休止時間ｔｍ後の継続視聴開始時に、（ｔ−ｔｍ）の時間を映像表示装置８に表示させることにより、乗客１は残りの休止可能時間を知ることができる。
【００８０】
このようにして、本実施の形態３の列車内映像配信システムは、映像コンテンツの視聴中の休止が可能であるため、乗客の利便性が確保され、そして、視聴再開後に残りの休止可能時間を乗客に知らせることにより、さらに利便性が増大されるものである。
【００８１】
（実施の形態４）
次に、本発明の実施の形態４の列車内映像配信システムについて図１１および図１２を参照して説明する。
【００８２】
本実施の形態４は、実施の形態１〜３において、列車３に設置される映像記憶配信装置９または１９の映像コンテンツの蓄積部の容量を、その映像コンテンツを分割して蓄積することにより少なくすることができるようにしたものである。
【００８３】
図１１は、本実施の形態４の列車内映像配信システムの構成図であり、実施の形態１と同一構成部分には同一符号を附して説明は省略し、異なる部分を中心に説明する。
【００８４】
図１１において、列車３に設置されたアンテナ４０が、同軸ケーブル４により同軸ネットワークアダプタ４６に接続されている。また、４１は列車３の各停車駅に設置された映像蓄積配信装置であり、この映像蓄積配信装置４１に備えられたアンテナ４２から列車３の映像記憶配信装置９に映像コンテンツを無線方式で送信可能に構成されている。アンテナ４０に接続される同軸ネットワークアダプタ４６は、他のネットワークアダプタ６の機能に加え、アンテナ４０で受信される信号を受信する無線受信機能を備えている。
【００８５】
そして、列車３の各停車駅においても、実施の形態１〜３で説明したのと同様に、乗客１は、列車３の搭乗券の購入と同時に乗車中に視聴したい映像コンテンツを購入することができるようになっており、その乗車と映像コンテンツ等の認証システムは、実施の形態１〜３と同様である。
【００８６】
次に、本実施の形態４の列車内映像配信システムの動作について図１２も参照して説明する。図１２は、複数の乗客が、異なる駅から乗車し、異なる映像コンテンツを視聴する場合の、それぞれの乗客の映像コンテンツの視聴時間と各駅間で映像記憶配信装置９に蓄積されるコンテンツ部分との関係を示した模式図である。
【００８７】
Ｐ、Ｑ、Ｒはそれぞれ映像コンテンツであり、それぞれの視聴時間は図１２に示すようになっている。１ａ、１ｂ、１ｃはそれぞれ乗客で、乗客１ａは出発駅から終着駅まで乗車し、その間に映像コンテンツＰの視聴をリクエストしている。また、乗客１ｂは出発駅から第２の停車駅までの乗車中に映像コンテンツＱの視聴をリクエストし、さらに、乗客１ｃは第１の停車駅から終着駅までの乗車中に映像コンテンツＲの視聴をリクエストした状況を示している。
【００８８】
乗客が上記のような映像コンテンツの視聴をリクエストした場合、出発駅ではその出発駅からリクエストを受けた乗客１ａ、１ｂ用の映像コンテンツＰ、Ｑの、その出発駅から第１の停車駅までの列車３の所要時間分Ｐ１、Ｑ１を映像記憶配信装置９に蓄積する。また、第１の停車駅に対して、乗客１ａ、１ｂの認証情報とともに、乗客１ａがリクエストした映像コンテンツＰ及び乗客１ｂがリクエストした映像コンテンツＱについて、映像コンテンツＰについては第１の停車駅から第２の停車駅までの列車３の所要時間分Ｐ２を、また、映像コンテンツＱについては残りの部分Ｑ２を、第１の停車駅に設置されている映像蓄積配信装置４１に蓄積するように、出発駅が指示する。さらに、出発駅は、第２の停車駅に対して乗客１ａの認証情報とともに映像コンテンツＰの残りの部分Ｐ３を、第２の停車駅に設置されている映像蓄積配信装置４１に蓄積するように指示する。
【００８９】
一方、第１の停車駅では、ここから乗車する乗客１ｃが視聴をリクエストした映像コンテンツＲについて、その第１の停車駅から第２の停車駅までの列車３の所要時間分Ｒ１を乗客１ｃの認証情報とともに第１の停車駅に設置されている映像蓄積配信装置４１に蓄積する。また、第１の停車駅は、第２の停車駅に対して乗客１ｃの認証情報とともに映像コンテンツＲの残りの部分Ｒ２を、第２の停車駅に設置されている映像蓄積配信装置４１に蓄積するように指示する。
【００９０】
なお、出発駅および終着駅が、それぞれ、本発明の出発地点および終着地点の一例である。また、第１の停車駅および第２の停車駅が、いずれも、本発明の途中停地点の一例である。また、Ｐ１、Ｐ２、Ｐ３、Ｑ１、Ｑ２、Ｒ１は、いずれも本発明の、その地点から次に停止するまでの交通手段の移動に対応するコンテンツの部分の一例である。
【００９１】
このように、本実施の形態４の列車内映像配信システムは、映像コンテンツが、出発駅、第１の停車駅、第２の停車駅に分割されて準備された状態で、出発駅で列車３に搭乗した乗客１ａ、１ｂは、実施の形態１で説明したと同様の認証作業を行い、列車３が出発駅を発車すると第１の停車駅に停車するまでの時間、乗客１ａ、１ｂは、それぞれリクエストした映像コンテンツを視聴することができる。
【００９２】
そして、列車３が第１の停車駅に到着すると、その停車の検出により、列車３に搭載の映像記憶配信装置９に蓄積されていた映像コンテンツＰのＰ１部分及び映像コンテンツＱのＱ１部分、すなわちその列車３の停車と同時に乗客１ａ、１ｂが視聴を終えた部分は、その認証情報を残して一括して消去される。そして、代わりに、第１の停車駅に設置された映像蓄積配信装置４１のアンテナ４２から列車３のアンテナ４０に対して、映像コンテンツＰのＰ２部分、ＱのＱ２部分、そしてＲのＲ１部分とともに、これらに関する各認証情報がそれぞれ送信される。この送信された映像コンテンツ等は、列車３の映像記憶配信装置９に蓄積される。そして、映像コンテンツＰ２とＱ２については認証作業が自動的に行われる。また、映像コンテンツＲ１については、実施の形態１または２の説明と同様の動作で、この乗客１ｃの搭乗券の認証が行われる。
【００９３】
上記第１の停車駅における作業が終了し、列車３が第１の停車駅を発車すると、乗客１ａ、１ｂは、それぞれ継続する映像コンテンツＰ２、Ｑ２を視聴することができ、また、乗客１ｃは、リクエストした映像コンテンツＲ１を視聴することができる。なお、乗客１ｂの映像コンテンツＱ２の視聴は、列車３が第２の停車駅に到着する前に終了する。
【００９４】
列車３が第２の停車駅に到着すると、第１の停車駅に到着した際の上記の動作と同様の動作により、映像コンテンツＰ２、Ｒ１は消去され、これに代わってＰ３、Ｒ２が、第２の停車駅の映像蓄積配信装置４１から列車３の映像記憶配信装置９に送信され蓄積される。そして、列車３の発車により、乗客１ａ、１ｃは、残りの映像コンテンツＰ３、Ｒ２を引き続き視聴することができる。そして、列車３が終着駅に到着する前に前記乗客１ａ、１ｃの視聴は終了し、その視聴を終えた部分Ｐ３、Ｒ２は終着駅に到着すると消去される。
【００９５】
このように、本実施の形態４の列車内映像配信システムは、乗客が視聴をリクエストした映像コンテンツを列車３の停車駅間の走行所要時間を基準として分割し、この分割された映像コンテンツを各停車駅においてそれまでの映像コンテンツ、すなわち乗客が視聴を終えた映像コンテンツ部分に代えて、未視聴コンテンツ部分を順次列車の映像記憶配信装置に蓄積するようにした。これによって、列車の映像記憶配信装置の容量は、最小限分割された映像コンテンツ部分のみ蓄積する容量でよく、このため列車に準備しておく映像記憶配信装置のデータ蓄積容量が比較的少ないものでよくなる。
【００９６】
本実施の形態４は、実施の形態２の列車内映像配信システムにおいても同様に実現することができるため、その説明は省略する。
【００９７】
なお、本実施の形態４において、乗客が視聴を終えた映像コンテンツは、乗客がその視聴を終えると同時に消去されていくようにしてもよい。このように処理しても、上記と同様に映像記憶配信装置９への蓄積を最小限に済ませることができる。
【００９８】
（実施の形態５）
次に、本発明の実施の形態５の列車内映像配信システムについて、図１３、図１４を参照して説明する。
【００９９】
図１３は、本実施の形態５の列車内映像配信システムの構成図であり、図１１と同一構成部分には同一符号を附して説明は省略し、異なる部分を中心に説明する。
【０１００】
本実施の形態５の列車内映像配信システムは、図１１に示す実施の形態４の列車内映像配信システムの構成に加えて、列車内の同軸ネットワークアダプタ４６に接続される確認手段４４と、各停車駅に設置されている映像蓄積配信装置４１に接続される、列車内のアンテナ４０から送信された無線信号をアンテナ４２によって受信する受信手段４３とを備えている。
【０１０１】
本実施の形態５は、実施の形態４の列車内映像配信システムにおいて、乗客の利便性を一層向上させたものである。すなわち、乗客が映像コンテンツを視聴中にその視聴を中断してもコンテンツの見損ないが生じないようにしたものである。
【０１０２】
図１４は、乗客の映像コンテンツの視聴時間と、休止時間、乗車時間との関係を示した模式図である。本実施の形態５の列車内映像配信システムの構成は、図１１に示した実施の形態４と同様であり、かつ、乗客が映像コンテンツの視聴休止が行えるようにしたことは実施の形態３に説明したものと同様であるため、これらを援用して異なるところを中心に図１４を参照して説明する。
【０１０３】
乗客１ｄは、列車３の乗車中の映像コンテンツＳの視聴をリクエストし、このリクエストに基づいて、鉄道会社は、実施の形態４と同様に出発駅にて列車３の映像記憶配信装置９に、例えばその列車３の第１の停車駅までの所要走行時間と同じ時間分の映像コンテンツＳ１を蓄積する。また、第２の停車駅に対して、残りの映像コンテンツＳ２を認証情報とともに第１の停車駅に備えられた映像蓄積配信装置４１に蓄積するように指令する。
【０１０４】
乗客１が認証作業を行い、列車３が発車すれば乗客１は映像コンテンツＳを視聴することができる。その視聴中に、乗客１ｄが実施の形態３で説明した構成と動作に基づいて時間ｔの視聴休止を行うと、列車３の第１の停車駅の到着時点では乗客１ｄの映像コンテンツＳの視聴時間は、（Ｓ１１）＋｛（Ｓ１２）−（Ｓ１２Ｚ）｝となり、視聴休止時間ｔに対応する（Ｓ１２Ｚ）部分を見損なってしまう。
【０１０５】
このような不具合を解消するために、本実施の形態５の列車内映像配信システムは、各乗客の映像コンテンツの視聴経過時間を確認する確認手段４４を有している。列車３が第１の停車駅へ到着する時刻の例えば５分前の時間ｔｓの時点で確認手段４４により検証させ、乗客１ｄが映像コンテンツ部分（Ｓ１２Ｚ）を見損なうことがわかるので、確認手段４４の検証に基づいて、列車３は直ちに第１の停車駅に対して、同軸ネットワークアダプタ４６が有している送信手段により、乗客１ｄが視聴の映像コンテンツＳの（Ｓ１２Ｚ）＋Ｓ２の部分を、第１の停車駅の映像蓄積配信装置４１に蓄積変更するように指令する。
【０１０６】
なお、確認手段４４が、本発明の休止時間確認手段の一例である。また、映像コンテンツのＳ１に対する（Ｓ１２Ｚ）の部分が、本発明の、コンテンツの部分のうち休止時間に対応する終了部分の一例である。
【０１０７】
この変更指令を受信手段４３で受信した第１の停車駅は、それに基づいて映像蓄積配信装置４１への蓄積変更を行う。これによって、列車３が第１の停車駅に到着すれば、列車３の映像記憶配信装置９に、蓄積変更した映像コンテンツ（Ｓ１２Ｚ）＋Ｓ２が乗客１ｄの視聴済の映像コンテンツ部分Ｓ１に代えて蓄積される。したがって、乗客１ｄは視聴休止により生じた時間ｔに相当する部分の映像コンテンツを見損なうことなく、連続したコンテンツを引き続いて視聴することができる。もちろん、この場合、乗客１ｄが映像コンテンツＳの視聴を終える時間は、休止時間分ｔだけ遅れることになる。
【０１０８】
なお、視聴休止をさらに多く取った場合も同様の動作で乗客１ｄに対応することができ、また、これは他の乗客に対しても同様である。したがって、本実施の形態５の列車内映像配信システムでは、乗客は、映像コンテンツについてその視聴中に視聴休止を行っても見損なう部分が発生することはなく、安心して途中休止を取ることができ、利便性のよい映像コンテンツの視聴を提供できる。
【０１０９】
また、本実施の形態５の列車内映像配信システムは、実施の形態３で説明したように、例えば、出発駅で予め視聴休止時間を見こんで、その視聴休止時間を加えて途中の停車駅までの所要の走行時間となる映像コンテンツを準備し、乗客がその予め見こまれた視聴休止時間を超えて視聴休止した場合においても同様に実施することができるものであり、これによっても乗客は映像コンテンツを見損なう部分が生じることがなくなるものである。
【０１１０】
なお、本実施の形態５および実施の形態４において、列車の途中の停車駅は２つに限られるものではなく、１つあるいは３つ以上であってもよく、各停車駅の動作は、映像コンテンツの視聴時間と列車の走行時間によって上記の説明による動作と同様の動作を行うようにされる。
【０１１１】
（実施の形態６）
次に、本発明の実施の形態６の列車内映像配信システムの動作について説明する。
【０１１２】
上記実施の形態４および５では、出発駅からの指令により、乗客がリクエストした映像コンテンツについて、第１の停車駅では乗客の認証情報とともに、第１の停車駅から第２の停車駅までの列車の所要時間分あるいは一部を映像蓄積配信装置４１に蓄積させ、また、第２の停車駅では乗客の認証情報とともに映像コンテンツの残りの部分を第２の停車駅に設置されている映像蓄積配信装置４１に蓄積させるようにしたが、これに限られるものではなく、次のようにしてもよい。
【０１１３】
本実施の形態６の列車内映像配信システムの構成の概略は、図１１から図１４に示す実施の形態４および５と同様であるため、これらを援用する。
【０１１４】
各途中の停車駅に設置されている映像蓄積配信装置４１のそれぞれに、乗客がリクエストした映像コンテンツの全ての部分が蓄積されている。そして出発駅からの指令に代わって、列車が第１の停車駅に到着する例えば５分前に、第１の停車駅に対して、乗客の映像コンテンツの視聴進捗状況に合わせて、すなわち乗客が視聴を休止した合計時間等によって映像表示装置にコンテンツの未表示部分が発生しないように、いわゆる見そこないが生じないように、第１の停車駅から連続して映像コンテンツを引き続き視聴することができるように、映像蓄積配信装置４１から必要とする映像コンテンツの部分を送信するように映像記憶配信装置９が指令を出す。
【０１１５】
そして、例えば、列車３の第１の停車駅への到着と同時に、第１の停車駅の映像蓄積配信装置４１は、映像コンテンツの送信を指令された部分を列車３に送信し、映像記憶配信装置９に蓄積させる。映像記憶配信装置９に蓄積された映像コンテンツの中から、各乗客の認証情報に基づいて、該当する乗客の映像表示装置８にその乗客がリクエストした映像コンテンツが送信され、乗客はこれを引き続き視聴することができる。
【０１１６】
上記の動作は、第２の停車駅および第３、第４等の停車駅においても同様に実施することができ、第１の停車駅を第２、第３、第４の停車駅等と読み替えればよい。
【０１１７】
本実施の形態６の列車内映像配信システムによれば、実施の形態４および５のように、乗客が視聴を休止した場合、あるいは視聴休止時間が予め設定された休止設定時間よりも長くなった場合に、第１の停車駅等で映像蓄積配信装置４１の蓄積コンテンツを再度蓄積し直すというようなことがなくなるものである。
【０１１８】
なお、各実施の形態において、記録媒体に記録された１つの映像コンテンツを複数の再生素子にて再生可能な装置を採用すれば、複数の乗客から同一の映像コンテンツの視聴リクエストを受けた場合に、複数の乗客が視聴開始時間に関係なく視聴することができる。
【０１１９】
また、各乗客の映像コンテンツの音声は、ヘッドホンあるいはイヤーホーンを使用することにより、乗客相互の迷惑行為は解消されるものである。
【０１２０】
また、各実施の形態において、搭乗券２が備える記憶素子１４に記憶させる認証情報は、各実施の形態に記載した情報に限られるものではなく、例えばリクエストを受けた映像コンテンツを識別する認証情報のみであってもよい。この場合は、列車３の自由席の場合でも、その自由席の１つに座る乗客がその席に設置された認証装置あるいはリーダ装置を通して搭乗券が有する認証情報の認証が正常になされれば、その乗客はその席に設置された映像表示装置によってリクエストした映像コンテンツを乗車時に視聴することができる。また、さらに乗車区間等の追加の情報が記憶素子１４に記憶されるようにしてもよい。
【０１２１】
また、各実施の形態では、同軸ケーブルとイーサーネットケーブルを用いた同軸伝送システムを用いてシステムを構成したが、他の伝送システムを用いて構成してもよい。
【０１２２】
また、各実施の形態では、複数の客席を有する交通手段として列車を例として説明したが、列車に限らず、長距離バス、旅客船、航空機等の他の交通手段であっても適用できる。
【０１２３】
また、各実施の形態では、各乗客が視聴を希望するコンテンツとして、映像情報および音声情報を有する映像コンテンツで説明したが、映像情報の無い音声のみのコンテンツであってもよい。
【０１２４】
なお、本発明のプログラムは、上述した本発明の映像配信システムの制御方法の、搭乗券読み取りステップ、認証ステップ、コンテンツ表示ステップの、全部または一部のステップの全部または一部の動作をコンピュータにより実行させるためのプログラムであって、コンピュータと協働して動作するプログラムである。
【０１２５】
また、本発明の記録媒体は、上述した本発明の映像配信システムの制御方法の、搭乗券読み取りステップ、認証ステップ、コンテンツ表示ステップの、全部または一部のステップの全部または一部の動作をコンピュータにより実行させるためのプログラムを記録した記録媒体であり、コンピュータにより読み取り可能かつ、読み取られた前記プログラムが前記コンピュータと協働して利用される記録媒体である。
【０１２６】
また、本発明のプログラムの一利用形態は、コンピュータにより読み取り可能な記録媒体に記録され、コンピュータと協働して動作する態様であっても良い。
【０１２７】
また、記録媒体としては、ＲＯＭ等が含まれる。
【０１２８】
また、上述した本発明のコンピュータは、ＣＰＵ等の純然たるハードウェアに限らず、ファームウェアや、ＯＳ、更に周辺機器を含むものであっても良い。
【０１２９】
なお、以上説明した様に、本発明の構成は、ソフトウェア的に実現しても良いし、ハードウェア的に実現しても良い。
【０１３０】
以上に説明したように、本発明の映像配信システムによれば、交通手段を利用する個々の乗客の要望により、特に長時間の乗車中に個々の乗客のリクエストに応じた映像コンテンツの視聴をそれぞれの乗客の客席にて提供することができるため、乗客にとって交通手段の乗車時間を有効に利用でき、非常に便利なものである。
【０１３１】
つまり、本発明の映像配信システムは、個々の乗客が視聴を希望する映像コンテンツを配信するようにしたものであり、特に長距離列車の乗客にとって極めて有益なシステムである。
【産業上の利用可能性】
【０１３２】
本発明は、交通手段を利用する個々の乗客に対して、特に長時間の乗車中にその個々の乗客のリクエストに応じた映像コンテンツの視聴をそれぞれの乗客の客席にて提供することができるため、日頃視聴したいと思っている映像コンテンツを視聴することができる非常に便利なものである。
【図面の簡単な説明】
【０１３３】
【図１】本発明の実施の形態１に係る列車内映像配信システムの概略構成図
【図２】本発明の各実施の形態に係る搭乗券の概略正面図
【図３】本発明の実施の形態１に係る認証装置の概略構成図
【図４】本発明の実施の形態１に係る列車内映像配信システムの動作フロー図
【図５】本発明の実施の形態２に係る列車内映像配信システムの概略構成図
【図６】本発明の実施の形態２に係るリーダ装置の概略構成図
【図７】本発明の実施の形態２に係る映像記憶配信装置の概略構成図
【図８】本発明の実施の形態２に係る列車内映像配信システムの動作フロー図
【図９】本発明の実施の形態３の列車内映像配信システムにおける、映像コンテンツの視聴時間の乗車時間との関係を示した模式図
【図１０】本発明の実施の形態３に係る列車内映像配信システムの動作フロー図
【図１１】本発明の実施の形態４に係る列車内映像配信システムの概略構成図
【図１２】本発明の実施の形態４の列車内映像配信システムにおける、複数の乗客の映像コンテンツの視聴時間と、各駅間で映像記憶配信装置９に蓄積されるコンテンツ部分との関係を示した模式図
【図１３】本発明の実施の形態５に係る列車内映像配信システムの概略構成図
【図１４】本発明の実施の形態５の列車内映像配信システムにおける、映像コンテンツの視聴時間の乗車時間との関係を示した模式図
【図１５】従来の列車内情報提供システムの全体構成図
【符号の説明】
【０１３４】
１  乗客
２  搭乗券
３  列車
４  同軸ケーブル
５  分配器
６、４６  同軸ネットワークアダプタ
７  認証装置
８、１１  映像表示装置
９、１９  映像記憶配信装置
１０  乗務員
１２  イーサーネットケーブル
１３  記憶素子タグ
１４  記憶素子
１６  アンテナ
１７  認証部
１８  リーダ
２０  リーダ装置
２１  認証部
２２  映像コンテンツ蓄積部
４０、４２  アンテナ
４１  映像蓄積配信装置
４３  受信手段
４４  確認手段
【図１】
2006140848.tif 000003
【図２】
2006140848.tif 000004
【図３】
2006140848.tif 000005
【図４】
2006140848.tif 000006
【図５】
2006140848.tif 000007
【図６】
2006140848.tif 000008
【図７】
2006140848.tif 000009
【図８】
2006140848.tif 000010
【図９】
2006140848.tif 000011
【図１０】
2006140848.tif 000012
【図１１】
2006140848.tif 000013
【図１２】
2006140848.tif 000014
【図１３】
2006140848.tif 000015
【図１４】
2006140848.tif 000016
【図１５】
2006140848.tif 000017